(57)【要約】【課題】  複数の見守り対象者の生活状況を迅速に把握することができるように複数の見守り対象者の生活状況を一覧表示する生活状況表示装置を提供する。【解決手段】  見守り対象者の生活状況を表示する生活状況表示装置において、複数人の見守り対象者の中から生活状況の一覧画面表示を行う対象者を選択する第１の対象者選択手段と、前記第１の対象者選択手段により選択された見守り対象者のそれぞれについて、前回の滞在場所及び滞在時間、前々回の滞在場所及び滞在時間が含まれる生活状況を一覧画面で表示する生活状況一覧画面表示手段とを備える。【選択図】  図５
2005122292.tif 000002
【特許請求の範囲】
【請求項１】
見守り対象者の生活状況を表示する生活状況表示装置において、
複数の見守り対象者の中から生活状況の一覧画面表示を行う対象者を選択する第１の対
象者選択手段と、
前記第１の対象者選択手段により選択された見守り対象者のそれぞれについて、前回の
滞在場所及び滞在時刻、前々回の滞在場所及び滞在時刻が含まれる生活状況を一覧画面で
表示する生活状況一覧画面表示手段と
を備えることを特徴とする生活状況表示装置。
【請求項２】
前記生活状況は、各滞在場所における活動量を示す情報を含むことを特徴とする請求項
１に記載の生活状況表示装置。
【請求項３】
前記生活状況一覧画面表示手段により表示された対象者の生活行動パターンを表示する
生活行動パターン表示手段を更に備えることを特徴とする請求項１又は請求項２に記載の
生活状況表示装置。
【請求項４】
前記生活状況一覧画面表示手段により表示された対象者の中から、生活行動パターンの
表示を行う対象者の選択を行う第２の対象者選択手段と、
前記第２の対象者選択手段により選択された対象者の生活行動パターンを表示する生活
行動パターン表示手段を更に備えることを特徴とする請求項１又は請求項２に記載の生活
状況表示装置。
【発明の詳細な説明】
【技術分野】
【０００１】
この発明は、独居の高齢者や病身者等の対象者を見守る生活見守りシステムに用いられ
る生活状況表示装置に関するものである。
【背景技術】
【０００２】
来るべき高齢化社会に向けて、独居高齢者等の暮らしを見守り、介護を支援する介護支
援システムが注目されている。この介護支援システムでは、見守り対象者の宅内での生活
動作をリアルタイムでセンシングし、得られた情報が、管理センタのサーバに蓄積され、
このサーバから家族や介護センタの担当者などに配信されている。配信画面においては、
見守り対象者の生活行動パターンが時系列で生活動作の種類に応じて色分けされた図によ
り表示される（例えば特許文献１参照）。
【０００３】
【特許文献１】特開２００３−１０９１５９号公報
【発明の開示】
【発明が解決しようとする課題】
【０００４】
ところで、一般に、介護センタの担当者は、同一施設又は異なる施設内の複数の見守り
対象者を担当しており、また、所定の地域を担当する保健士などは、その地域内の複数の
見守り対象者を担当していることから、自分が担当している複数の見守り対象者の生活状
況を一度に把握したいという要望を有している。しかしながら、上述の介護支援システム
においては、表示装置の１画面に見守り対象者、１人毎の生活行動パターンの表示を行っ
ているため、介護センタの担当者や所定の地域を担当する保健士などが、自分が担当して
いる全ての見守り対象者の生活状況を把握するのに長時間を要していた。
【０００５】
この発明の課題は、複数の見守り対象者の生活状況を迅速に把握することができるよう
な表示を行う生活状況表示装置を提供することである。 
【課題を解決するための手段】
【０００６】
請求項１記載の生活状況表示装置は、見守り対象者の生活状況を表示する生活状況表示
装置において、複数の見守り対象者の中から生活状況の一覧画面表示を行う対象者を選択
する第１の対象者選択手段と、前記第１の対象者選択手段により選択された見守り対象者
のそれぞれについて、前回の滞在場所及び滞在時刻、前々回の滞在場所及び滞在時刻が含
まれる生活状況を一覧画面で表示する生活状況一覧画面表示手段とを備えることを特徴と
する。
【０００７】
この請求項１記載の生活状況表示装置によれば、第１の対象者選択手段により選択した
見守り対象者のそれぞれの生活状況が一覧画面で表示されるため、介護センタの担当者や
所定の地域を担当する保健士などが、自分が担当している見守り対象者の生活状況を、一
度に容易に把握することができる。
【０００８】
また、請求項２記載の生活状況表示装置は、前記生活状況が各滞在場所における活動量
を示す情報を含むことを特徴とする。この請求項２に記載の生活状況表示装置によれば、
見守り対象者のそれぞれの生活状況として活動量も一覧画面で表示されるため、介護セン
タの担当者や所定の地域を担当する保健士などが、自分が担当している見守り対象者の生
活状況を、詳細に把握することができる。
【０００９】
また、請求項３記載の生活状況表示装置は、前記生活状況一覧画面表示手段により表示
された対象者の生活行動パターンを表示する生活行動パターン表示手段を更に備えること
を特徴とする。この請求項３に記載の生活状況表示装置によれば、見守り対象者のそれぞ
れの生活行動パターンが表示されるため、介護センタの担当者や所定の地域を担当する保
健士などが、自分が担当している見守り対象者の生活行動パターンを容易に把握すること
ができる。
【００１０】
また、請求項４記載の生活状況表示装置は、前記生活状況一覧画面表示手段により表示
された対象者の中から、生活行動パターンの表示を行う対象者の選択を行う第２の対象者
選択手段と、前記第２の対象者選択手段により選択された対象者の生活行動パターンを表
示する生活行動パターン表示手段を更に備えることを特徴とする。
【００１１】
この請求項４に記載の生活状況表示装置によれば、第２の対象者選択手段により選択さ
れた見守り対象者の生活行動パターンが表示されるため、介護センタの担当者や所定の地
域を担当する保健士などが、自分が担当している見守り対象者の中の特定の見守り対象者
の生活行動パターンを容易に把握することができる。
【発明の効果】
【００１２】
この発明の生活状況表示装置によれば、第１の対象者選択手段により選択した見守り対
象者のそれぞれの生活状況が一覧画面で表示されるため、介護センタの担当者や所定の地
域を担当する保健士などが、自分が担当している見守り対象者の生活状況を、一度に容易
に把握することができる。
【発明を実施するための最良の形態】
【００１３】
以下、図面を参照して、本発明を実施するための最良の形態について説明する。図１は
、実施の形態に係る独居高齢者などを見守り対象者Ａとする生活見守りシステム１を示し
たものである。生活見守りシステム１は、対象者の住宅９０の宅内見守り装置１０と、管
理センタのサーバコンピュータ２０（管理装置）と、対象者の家族や介護センタなどにお
いて用いられるパーソナルコンピュータ３０や携帯電話３１などのクライアント端末とを
備えている。宅内見守り装置１０とサーバコンピュータ２０とは、ネットワーク４０を介
して接続されており、サーバコンピュータ２０とパーソナルコンピュータ３０や携帯電話
３１は、ネットワーク４０を介して接続されている。
【００１４】
宅内見守り装置１０は、コントロール装置１１と、複数の人感センサ１２ａ〜１２ｆを
備えている。コントロール装置１１、人感センサ１２ａ〜１２ｆは、住宅９０の電灯線９
９を介して互いに接続されている。
【００１５】
図２に示すように、人感センサ１２ａ〜１２ｆは、対象者の住宅９０の互いに異なる場
所（見守り区域）９１〜９６に配置されている。即ち、トイレ９１には人感センサ１２ａ
が配置され、廊下９２には人感センサ１２ｂが配置され、居室９３には人感センサ１２ｃ
が配置され、寝室９４には人感センサ１２ｄが配置され、玄関９５には人感センサ１２ｅ
が配置され、洗面所９６には人感センサ１２ｆが配置されている。
【００１６】
図３に示すように、各人感センサ１２ａ〜１２ｆは、センサ部１３ａと、このセンサ部
１３ａに信号変換部１３ｂを介して接続された処理部１３ｄと、この処理部１３ｄに接続
されたＲＯＭ１３ｆ及び通信部１３ｅと、通信部１３ｅに接続されたプラグ１３ｇとを有
している。このプラグ１３ｇが、電灯線９９のコンセント９９ａに接続されている。セン
サ部１３ａは、人体の動きに感応する焦電型赤外線検出器などで構成されている。このセ
ンサ部１３ａの感応信号すなわち人体の動きの検出信号が、信号変換部１３ｂでデジタル
変換されて処理部１３ｄへ送られる。
【００１７】
各人感センサ１２ａ〜１２ｆには、他と異なる固有のセンサコードが割り当てられてい
る。即ち、トイレの人感センサ１２ａには、センサコードｘ12Aが割り当てられ、廊下の
人感センサ１２ｂには、センサコードｘ12Bが割り当てられ、居室の人感センサ１２ｃに
は、センサコードｘ12Cが割り当てられ、寝室の人感センサ１２ｄには、センサコードｘ1
2Dが割り当てられ、玄関の人感センサ１２ｅには、センサコードはｘ12Eが割り当てられ
、洗面所の人感センサ１２ｆには、センサコードはｘ12Fが割り当てられている。
【００１８】
人感センサ１２ａ〜１２ｆの処理部１３ｄは、センサ部１３ａが感応した旨の情報にセ
ンサコードを添付し、通信部１３ｅに送る。通信部１３ｅは、これを信号変換した後、セ
ンサ情報として電灯線９９に流すように構成されている。
【００１９】
次に、コントロール装置１１について説明する。図３に示すように、コントロール装置
１１は、処理部１１ａを有し、この処理部１１ａに、下り通信部１１ｂ、上り通信部１１
ｃ、タイマ１１ｄ、ＲＡＭ１１ｅ、ＲＯＭ１１ｆが接続されている。
【００２０】
ＲＡＭ１１ｅには、直前センサコードｘ0やヒットカウントｎなどが記憶される。直前
センサコードｘ0は、直前に感応があった人感センサ１２のセンサコードである。ヒット
カウントｎは、見守り対象者Ａが現在の居場所に移動したと判定された後、現在までの全
ての人感センサ１２ａ〜１２ｆの感応回数を示すものである。ＲＯＭ１１ｆには、後述す
る移動判定で用いる所定の移動確定時間Ｔ（例えば３０秒）が記憶されている。移動確定
時間Ｔは、住宅９０内で日常的に利用する場所のうち最も離れた２つの場所間を移動する
のに要する時間（通常２０秒以下）に多少の余裕（１０秒程度）を加えることによって決
定するのが望ましい。しかも、主な生活動作の中で最も所要時間が短いもの（例えば排尿
）より長くならないようにするのが望ましい。排尿の場合、トイレ９１に入ってから出る
まで短いと４０秒程度である。したがって、上記したように一般的にはＴ＝３０秒程度が
望ましい。
【００２１】
図１及び図３に示すように、コントロール装置１１の下り通信部１１ｂには、プラグ１
１ｇが接続され、このプラグ１１ｇが電灯線９９のコンセント９９ａに接続されている。
また、上り通信部１１ｃが、ＩＳＤＮ網、ＩＰ網、アナログ電話網などの通信ネットワー
ク４０を介してサーバコンピュータ２０に接続されている。電灯線９９上のセンサ情報は
、通信部１１ｂによって取り込まれて信号変換され、処理部１１ａに送られる。処理部１
１ａは、取り込んだ情報に基づいて後述する移動判定などを行い、結果を通信部１１ｃに
送る。通信部１１ｃは、これを信号変換したうえで、通信ネットワーク４０を介してサー
バコンピュータ２０に送信する。
【００２２】
サーバコンピュータ２０は、コントロール装置１１からの情報などを蓄積し管理する。
このサーバコンピュータ２０が、ＷＡＮ、公衆電話網、携帯電話網、インターネットなど
通信ネットワーク４０を介してクライアント端末であるパーソナルコンピュータ３０、携
帯電話３１に接続されている。これによって、蓄積情報が、Ｗｅｂページ、電子メール、
電話メッセージなどの形態でクライアント端末３０，３１に送信される。
【００２３】
コントロール装置１１の処理部１１ａによる移動判定動作は、以下のようにして行われ
る。例えば、見守り対象者Ａが居室９３に居る場合には、居室人感センサ１２ｃだけが感
応する。ＲＡＭ１１ｅには、直前センサコードｘ0として、居室人感センサ１２ｃのセン
サコードｘ12Cが記憶され、ヒットカウントｎとして、見守り対象者Ａが居室９３に移動
したと判定されてから現在までのセンサ感応回数（人感センサ１２ａ〜１２ｆのセンサ感
応回数）が記憶されている。また、ＲＡＭ１１ｅには、見守り対象者Ａが居室９３に移動
したと判定された時間、即ち移動時間も記憶されている。
【００２４】
ここで、見守り対象者Ａが居室９３に移動したことの判定は、居室の人感センサ１２ｃ
が感応し、その後他の人感センサ１２ａ，１２ｂ，１２ｄ，１２ｅ，１２ｆにおいて３０
秒間、感応がない場合に行われる。なお、見守り対象者Ａが居室９３を出て寝室９４に入
った場合には、寝室９４の人感センサ１２ｄが感応するが、見守り対象者Ａが３０秒以内
に居室９３に戻った場合には、寝室９４に移動したと判定されず、居室９３に居続けたと
される。この場合には、寝室９４に入った際の寝室の人感センサ１２ｄの感応、居室９３
に戻った際の居室の人感センサ１２ｃの感応がヒットカウントｎとして記憶される。
【００２５】
見守り対象者Ａが寝室９４に移動して、その後３０秒間、寝室以外の人感センサが感応
しなかった場合には、見守り対象者Ａが寝室９４に移動したと判断される。この場合には
、前回の滞在場所である「居室」の情報、居室に移動したと判定された移動時間の情報及
びそのとき記憶されているヒットカウントｎの情報が通信部１１ｃを介してサーバコンピ
ュータ２０に送信される。なお、ヒットカウントｎにより、見守り対象者の前回の移動場
所における動作回数すなわち活動量が示される。
【００２６】
このように見守り対象者Ａが居場所を移動したと判定される毎に前回の滞在場所の情報
、移動時間の情報、そのとき記憶されているヒットカウントｎの情報が通信部１１ｃを介
してサーバコンピュータ２０に送信される。サーバコンピュータ２０においては、コント
ロール装置１１により送信された滞在場所の情報、移動時間の情報、ヒットカウントｎの
情報を蓄積する。なお、見守り対象者が複数である場合には、サーバコンピュータ２０に
おいて見守り対象者毎に滞在場所の情報、移動時間の情報、ヒットカウントｎの情報を蓄
積する。
【００２７】
次に、クライアント端末における見守り対象者の生活状況の一覧表示について説明する
。クライアント端末、例えば、管理センタに設置されているパーソナルコンピュータ３０
において見守り対象者の生活状況の一覧表示を行う場合には、まず、図４に示す見守り対
象者選択画面に必要事項を入力することにより見守り対象者の選択を行う。即ち、見守り
対象者のグループを表す「地区名」の欄に、例えば１丁目や２丁目のように地区での分類
や、ＡアパートやＢ寮のように建物での分類を入力することにより見守り対象者の選択を
行う。なお、「氏名」の欄に選択する見守り対象者の氏名を入力することにより見守り対
象者の選択を行うようにしても良い。また、見守り対象者の選択は、保健士等が予め自分
の担当する地域、アパート等の見守り対象者を、自分の識別番号などに対応させて登録す
ることにより行うようにしても良い。
【００２８】
図４に示す見守り対象者選択画面において入力された見守り対象者の選択情報は、ネッ
トワーク４０を介してサーバコンピュータ２０へ送信される。サーバコンピュータ２０に
おいては、見守り対象者の選択情報に基づいて見守り対象者の選択を行い、選択された見
守り対象者の生活状況に関する情報がネットワーク４０を介してパーソナルピュータ３０
へ送信される。
【００２９】
図５に選択された見守り対象者の生活状況の一覧表示画面を示す。この一覧表示画面に
おいては、対象者の地区名、氏名、前々回の移動場所（滞在場所）、移動時刻及びヒット
カウントの数、前回の移動場所（滞在場所）、移動時刻及びヒットカウントの数が表示さ
れる。
【００３０】
この図５においては、選択された見守り対象者が２名（Ａ１，Ａ２）の例が示されてい
る。この一覧表示画面においては、見守り対象者Ａ１の前回の滞在場所（前回の移動）が
「外出」であり、外出したと判定された時間（滞在時刻）が２００３年８月２２日１４時
５８分であり、前々回の滞在場所（前々回の移動）から前回の滞在場所（前回の移動）へ
の移動の間の人感センサ１２ａ〜１２ｆの感応数が１回であること、前々回の滞在場所（
前々回の移動）が「玄関」であり、玄関に移動したと判定された時間（滞在時刻）が２０
０３年８月２２日１４時５６分であり、前々回の１つ前の滞在場所から前々回の滞在場所
への移動の間の人感センサ１２ａ〜１２ｆの感応数が１回であることが表示されている。
また、見守り対象者Ａ２の前回の滞在場所（前回の移動）が「居室」であり、居室に移動
したと判定された時間（滞在時刻）が２００３年９月１１日１９時３３分であり、前々回
の滞在場所（前々回の移動）から前回の滞在場所（前回の移動）への移動の間の人感セン
サ１２ａ〜１２ｆの感応数が１５回であること、前々回の滞在場所（前々回の移動）が「
台所」であり、台所に移動したと判定された時間（滞在時刻）が２００３年９月１１日１
９時３１分であり、前々回の１つ前の滞在場所から前々回の滞在場所への移動の間の人感
センサ１２ａ〜１２ｆの感応数が２回であることが表示されている。なお、見守り対象者
が１ページに表示しきれない場合は複数ページにわたって表示される。ページの移動は「
前へ」「次へ」のボタン操作によって行う。
【００３１】
この一覧表示画面により、保健士等は、自分が担当している複数の見守り対象者の最新
の生活状況を一目で確認することができる。なお、前々回の移動はその一つ前の滞在場所
を表しており、その時刻からその部屋での滞在時間を読み取ることができる。
【００３２】
前回の移動の表示欄は、太枠で囲われている。前回の移動の表示欄と前々回の移動の表
示欄は、同じ表現方法であるので、最新の状態が目立つように太枠で囲んで表示している
。なお、右上の「最新情報表示」をマウス等を用いてクリックすると、画面が最新の状態
に更新される。
【００３３】
左上の「生活パターンリスト表示」をマウス等を用いてクリックすると図６に示す生活
行動パターンの表示が行われる。この例では、図５の一覧表示顔面において表示されてい
る見守り対象者（Ａ１，Ａ２）、２人の生活行動パターンが表示されている。なお、１ペ
ージに表示しきれない場合は複数ページにわたって表示される。ページの移動は「前へ」
「次へ」のボタン操作によって行う。
【００３４】
生活行動パターン表示５７は、画面の横方向に延びる帯状をなし、見守り対象者の現在
または過去の一日の生活行動パターンが時系列で生活動作の種類に応じて色分けされて表
現されている。この生活行動パターン表示５７は、人感センサ１２ａ〜１２ｆによる対象
者の動作情報に基づいて作成されたものである。
【００３５】
生活行動パターン表示５７には、延び方向（横方向）に一日分（２４時間分）の主時刻
軸が設定されている。主時刻軸は、生活行動パターン表示５７の上側に１時間おきに目盛
り表示されている。図７に示すように、主時刻軸の目盛りと目盛りの間の生活行動パター
ン表示５７は、１２個の表示領域５７ｘに分割されている。すなわち、時間にして５分お
きに分割されている。この５分が、主時刻軸の最小単位時間になっている。
【００３６】
更に、生活行動パターン表示５７の幅方向（縦方向）に、細分時刻軸が仮想的に設定さ
れている。細分時刻軸の全長は、主時刻軸の最小単位時間（５分）に相当している。この
細分時刻軸の最小単位時間は、１分になっている。すなわち、生活行動パターン表示５７
の幅方向が、５個の表示領域５７ｘに分割されている。これら５個の表示領域５７ｘは、
主時刻軸の５分間を更に１分ごとに細分したものである。
【００３７】
したがって、表示領域５７ｘの主時刻軸上の位置と細分時刻軸上の位置を読むことによ
って、その表示領域５７ｘに対応する時刻を１分単位で知ることができる。例えば、図７
において、一番左側の最上段の表示領域５７ｘは、６時０分０１秒から６時１分００秒ま
での時間帯を示している。また、一番右側の最下段の表示領域５７ｘは、６時５９分０１
秒から７時ちょうどまでの時間帯を示している。（なお、図７における各表示領域５７ｘ
を区切る境界線は、説明の便宜上図示したものであり、実際の画面（図６等参照）には表
示されない。）
図７に示すように、各表示領域５７ｘには、対応する時刻における見守り対象者の滞在
場所（生活動作の種類）が、色（視覚的判別要素）で表現されている。例えば、居室は、
肌色で現わされ、寝室は、水色で現わされ、玄関は、紫で現わされ、トイレは、赤で現わ
され、台所は、緑で現わされ、外出は、灰色で現わされている。
【００３８】
このようにして、生活行動パターン表示５７が、主時刻軸と細分時刻軸の２つで二次元
的に時刻設定されているので、主時刻軸だけで一次元的に設定するよりも、生活動作を詳
細に表示することができる。なお、生活行動パターン表示５７の下側の参照欄５８には、
生活行動パターン表示５７の各彩色に対応する生活動作の種類すなわち対象者の居場所が
表記されている。
【００３９】
この生活行動パターン表示は、生活行動パターンが時系列で生活動作の種類に応じて色
分けされたカラーバーを用いて表現されているため、複数の見守り対象者の生活行動パタ
ーンが同一時間軸で一目で確認できるので、複数の見守り対象者を担当する保健士などの
担当者は、容易に自分が担当している見守り対象者の生活状況を把握することができる。
【００４０】
図８は、クライアント端末３０により表示される、選択した見守り対象者の生活状況表
示面５０を示すものである。なお、見守り対象者の選択は、図５に示す生活状況の一覧表
示画面において、選択する見守り対象者の「氏名」の欄をクリックすることにより、又は
、図６に示す生活行動パターンリスト表示画面において、選択する見守り対象者の「氏名
」の欄をクリックすることにより行う。
【００４１】
図８に示すように、画面５０には、選択された見守り対象者名５１、カレンダー５２、
現在の安否が一目でわかるイラスト５３、在宅中か否かの表記５４、異常発生の自動判定
などで使う各種設定時間５５、最新センサ情報５６、１日分の生活行動パターン表示５７
、この生活行動パターン表示５７を読むための参照欄５８などが表示されている。
【００４２】
なお、過去の生活行動パターンを見たい場合は、カレンダー５２の該当日をクリックす
る。これに応答して、指定された日の生活動作情報を読み出し、その日の生活行動パター
ン表示５７を作成して、クライアント端末３０の画面に表示させる。
【図面の簡単な説明】
【００４３】
【図１】実施の形態に係る生活見守りシステムの構成を示す図である。
【図２】実施の形態に係る生活見守りシステムで用いられる人感センサの配置場所を示す図である。
【図３】実施の形態に係る生活見守りシステムで用いられる人感センサ及びコントロール装置の構成を示す図である。
【図４】実施の形態に係る生活見守りシステムで用いられる見守り対象者選択画面を示す図である。
【図５】実施の形態に係る生活見守りシステムで用いられる生活状況一覧表示画面を示す図である。
【図６】実施の形態に係る生活見守りシステムで用いられる生活行動パターン一覧表示画面を示す図である。
【図７】実施の形態に係る生活行動パターン表示の詳細を説明するための図である。
【図８】実施の形態に係る生活見守りシステムで用いられる生活状況表示画面を示す図である。
【符号の説明】
【００４４】
１    生活見守りシステム
１０    宅内見守り装置
１１    コントロール装置
１２ａ〜１２ｆ    人感センサ
２０    サーバコンピュータ
３０    パーソナルコンピュータ
３１    携帯電話
４０    ネットワーク
９０    住宅
Ａ    見守り対象者
【図１】
2005122292.tif 000003
【図２】
2005122292.tif 000004
【図３】
2005122292.tif 000005
【図４】
2005122292.tif 000006
【図５】
2005122292.tif 000007
【図６】
2005122292.tif 000008
【図７】
2005122292.tif 000009
【図８】
2005122292.tif 000010